(57)【要約】【課題】  大光量での照明ができる投光器を小形かつ軽量に、具体的には人が肩に掛けるなどして携帯でき、現場で使い易いように工夫した携帯型投光器を提供すること。【解決手段】  平面から見て略まゆ形乃至ひょうたん形をなす蓋付容器であって少なくともショルダベルトを備えた容器１に、複数個の充電式バッテリを出入自在に収容すると共に該バッテリと光源の間に接続された電源回路を設置する一方、光源として放電灯を備えた投光体４にグリップ兼用のポスト部材５を設け、該ポスト部材５を前記容器１に挿脱自在にして支持させ、かつ、前記放電灯と電源回路をコード７で接続したこと。【選択図】図１
0003107468.tif 000002
【実用新案登録請求の範囲】
【請求項１】
平面から見て略まゆ形乃至ひょうたん形をなす蓋付容器であって少なくともショルダベルトを備えた容器に、複数個の充電式バッテリを出入自在に収容すると共に該バッテリと光源の間に接続された電源回路を設置する一方、光源として放電灯を備えた投光体にグリップ兼用のポスト部材を設け、該ポスト部材を前記容器に挿脱自在にして支持させ、かつ、前記放電灯と電源回路をコードで接続したことを特徴とする携帯型投光器。
【請求項２】
バッテリは、シリコン電解液を使用するシリコンバッテリを塔載した請求項１の携帯型投光器。
【請求項３】
放電灯には、メタルハライドランプを用いた請求項１又は２の携帯型投光器。
【請求項４】
放電灯と電源回路の接続コードにはカールコードを使用した請求項１〜3のいずれかの携帯型投光器。
【考案の詳細な説明】
【技術分野】
【０００１】
本考案は大光量の光を照射することができるバッテリ式で携帯型に形成した投光器に関する。
【背景技術】
【０００２】
夜間の火災現場や交通事故現場など、自由に移動できる小型で大光量の照明手段がない場所での実況見分では、懐中電灯を使ったり、大型投光器を用いて現場検証を行っている。
【０００３】
しかし、懐中電灯では光量不足のため微細な部位が見えにくかったり証拠品を見付け難いなど、照明の明るさに起因する問題があり、また、大型投光器は光量は十分であっても、大型ゆえに入り込んだ場所や物陰や裏側などを検証に都合の良い照明ができ難いなどの問題がある。
【０００４】
懐中電灯のように誰もが容易かつ簡便に携帯できる投光器で大光量の照明を可能にするには、充電式の硫酸バッテリを用いた投光器が考えられるが、硫酸バッテリは大光量を得るために容量を大きくするとバッテリ自体が大型化して重量が嵩むだけではなく、複数のバッテリを使用するので、投光器自体も大きくなり、また、放電灯用の電源回路に安定器として重量が嵩む銅鉄安定器を用いているので、この面でも重量が大きくなるため到底携帯式には不向きである。
【考案の開示】
【考案が解決しようとする課題】
【０００５】
そこで、本考案では大光量での照明ができる投光器を小形かつ軽量に、具体的には人が肩に掛けるなどして携帯でき、現場で使い易いように工夫した携帯型投光器を提供することを、その課題とする。
【課題を解決するための手段】
【０００６】
上記課題を解決することを目的としてなされた本考案投光器の構成は、平面から見て略まゆ形乃至ひょうたん形をなす蓋付容器であって少なくともショルダベルトを備えた容器に、複数個の充電式バッテリを出入自在に収容すると共に該バッテリと光源の間に接続された電源回路を設置する一方、光源として放電灯を備えた投光体にグリップ兼用のポスト部材を設け、該ポスト部材を前記容器に挿脱自在にして支持させ、かつ、前記放電灯と電源回路をコードで接続したことを特徴とするものである。
【０００７】
また、本考案投光器では上記構成において、電源回路には銅鉄安定器を省略した特殊インバータを用いることにより軽量化を達成し、バッテリには、シリコン電解液を使用したシリコンバッテリを用いてバッテリを小型化している。なお、バッテリを収容した投光器本体となるバッテリ容器に提げ手となるハンドルを設けることが望ましい。また、放電灯と電源回路の接続コードにはカールコードを使用すると、放電灯を装着した投光体をバッテリを収容した容器から外して目的物（地）を照明するのに都合がよく、またコードの絡みも生じない。
【考案の効果】
【０００８】
本考案携帯用投光器は、ショルダベルトを備えた容器が平面から見て略まゆ形であるから、これをショルダベルトで肩から吊したとき、当該容器外面のまゆ形の凹部が使用者の腰部側面によくなじむので、安定に保持することができる。
また、投光体は、そのポスト部材を容器から外したとき、手で握るグリップとなるので、グリップを手で握った投光体を投光したい場所へ自由自在に向けることができる。
【考案を実施するための最良の形態】
【０００９】
次に本考案携帯型投光器の実施の形態例について、図を参照して説明する。図１は本考案投光器の投光体を本体容器から外した状態の側面図、図２は、投光体を本体容器に装着した状態の平面図、図３は本体容器の後面図である。
【００１０】
図１〜図３において、１は、平面から見て略まゆ形（図２参照）をなす本考案投光器の本体容器で、その下半側に位置した容器本体1aにキャップ状に着脱できる蓋体1bを被せて形成されている。本体容器１の容器本体1aと被せた蓋体1bとは、図示しないが、使用時に互に分離できないようにするクランプ式など適宜方式による結束手段を具備している。1A，1Bは上記の平面から見た本体容器１の側面に形成された弯曲した凹部で、肩から吊下げたとき、腰部側面によくフィットさせるための形状である。
【００１１】
本体容器１において、その内部には、図示しないが、複数個の充電式バッテリを収容しており、各バッテリは直列（又は並列／直列など）され、図示しないが銅鉄安定器を省略した高周波インバータを含む電源回路に接続されている。図示しない電源回路はその出力端が点灯スイッチ1cを経由して後に述べる投光体に設けた放電灯に接続され、入力端はバッテリに接続されていると共に、このバッテリには図示しない外部充電器に接続できるようになっている。
【００１２】
本体容器１の外部、図示した例では蓋1bの上面に、提げ手となるハンドル２が設けられていると共に、該ハンドル２の前後に、図示しないショルダベルトの両端を係止するためのベルト係止部3aと3bが設けられている。また、蓋1bの上面には、後に説明する投光体４のポスト兼グリップ５を挿して支持する短支柱６が立設されている。なお、本体容器１の前面又は後面には、点灯スイッチ1cと、充電用のプラグジャック1dと、パイロットランプ1eが配設されている。図３は本体容器１の後面の例である。
【００１３】
投光体４は、ここでは光源の例として70Ｗのメタルハライドランプ（図に表われず）が、筒状乃至ラッパ状本体の内部に形成した反射面の前方に位置付けられてソケットに装着されており、当該ランプの入力端はカールコード７によって上記電源回路に接続されている。
この投光体４は、本体の下部に垂下して設けたグリップ５がパイプ体で形成されているので、このパイプ体を本体容器１の蓋1bに設けた短支柱６に差込んで、図２，図３に例示するように、バッテリなどを収容した本体容器１に装着されて、投光器として一体化される。なお、本考案では、グリップ５を本体容器１に形成した穴（図示せず）に差込んで投光体４を本体容器１と一体化するようにしてもよい。
【００１４】
上記のように形成される本考案投光器は、本体容器１の大きさが一例として、高さ200mm前後、正面幅が200mm前後、側面幅が300mm前後の大きさに形成され、全体の総重量が約10kg前後であり、使用バッテリは、DC24Ｖ、９AHのシリコンバッテリである。
【００１５】
本考案投光器は、ベルト係止部3a，3bにショルダベルト（図示せず）を繋ぎ、そのベルトを肩にかけると本体容器１の凹部1A又は1Bは、丁度、使用者の腰部側面によくフィットして支持されるので、使用者は、スイッチ1cを入れて投光体４のグリップ５を支柱６から抜いてその投光体４を自分の片手に持ち、他方の手でハンドル２を〓んで、投光体４を被検証部や被検証物に向け、そこに強力な照明光を照射する。
【００１６】
グリップ５を手で握った投光体４は本体容器１とカールコード７を介して接続されているので、本体容器１が腰の位置にあっても自由に任意の方向に向けることができ、また、本体容器１を肩から吊下げた使用者は、当該容器１を安定に保持した状態で自由に歩き回ることができるので、被検証体（物）が何拠にあっても隋意にそれを照明することができる。更に、カールコード７は絡まないので、投光体４と本体容器１の着脱を繰返して投光体４を使用しても、問題ない。
【産業上の利用可能性】
【００１７】
本考案携帯型投光器は以上の通りであって、大光量の照明光を自由に任意の方向に向けて照射できるのみならず、投光器全体の重量が電源回路やバッテリの軽量化によって軽くなっているので、本体容器をベルトで肩から吊下げて、或は、ハンドルを手に持って携行でき、従って、夜間において狭溢な場所や外部照明が当てにくい場所などでの検証物などを照明するための携帯式の大光量光源としてきわめて有用である。
また、本考案投光器は、万一の地震などの天災に伴う停電時におけるハンディタイプの大光量光源としてもきわめて有用である。
【図面の簡単な説明】
【００１８】
【図１】本考案投光器の投光体を容器から外した状態の側面図。
【図２】投光体を容器に装着した状態の平面図。
【図３】本体容器１の後面図。
【符号の説明】
【００１９】
１        本体容器
２        ハンドル
3a，3b    ベルト係止部
４        投光体
５        グリップ
６        短支柱
７        カールコード
【図１】
0003107468.tif 000003
【図２】
0003107468.tif 000004
【図３】
0003107468.tif 000005
【手続補正書】
【提出日】平成16年9月1日(2004.9.1)
【手続補正１】
【補正対象書類名】明細書
【補正対象項目名】００１５
【補正方法】変更
【補正の内容】
【００１５】
本考案投光器は、ベルト係止部3a，3bにショルダベルト（図示せず）を繋ぎ、そのベルトを肩にかけると本体容器１の凹部1A又は1Bは、丁度、使用者の腰部側面によくフィットして支持されるので、使用者は、スイッチ1cを入れて投光体４のグリップ５を支柱６から抜いてその投光体４を自分の片手に持ち、他方の手でハンドル２を掴んで、投光体４を被検証部や被検証物に向け、そこに強力な照明光を照射する。